(57)【特許請求の範囲】
【請求項１】
照準光を発散させる照準光源と、
照準対象に対向させて前面側に配置され、照準対象領域からの入射光を透過させると共に、上記照準光源からの照準光を上記前面側と相反する背面側に向けて反射させる反射面を有する第１の光学素子と、
上記照準光源から発する照準光の光路に対して角度略４５度〜６０度傾けて配置され、上記照準光源からの照準光若しくは上記照準対象領域からの入射光を透過させると共に、上記照準対象領域からの入射光若しくは上記照準光源からの照準光を反射させる反射面を有する第２の光学素子と、
上記照準光源と上記第１の光学素子及び上記第２の光学素子とを収納する筐体部と、
を具備し、
上記筐体部は、上面側に開口を有する本体部と、上記本体部の上面側を覆い、一部に貫通開口を形成したカバー部と、上記本体部と上記カバー部とを連結すると共に上記本体部の上記開口に対し上記カバー部を開閉移動させる多節リンク機構とを具備して構成され、
上記カバー部は、上記本体部の上面側の開口を被覆する閉位置と、上記本体部の上面側の開口から離間した位置に配置され上記本体部の上方を覆うと共に上記照準光源からの照準光の光路に沿う光路開口を形成する開位置と、の間において上記多節リンク機構によって移動することを特徴とする光学照準器。
【請求項２】
上記カバー部は、上記開位置に配置されたとき、上記照準光源からの照準光の光路に沿う両側面の一部を覆う側壁部を、さらに有することを特徴とする請求項１に記載の光学照準器。
【請求項３】
上記第１の光学素子及び第２の光学素子は、上記カバー部の移動に従動して起倒することを特徴とする請求項１に記載の光学照準器。
【請求項４】
上記カバー部が開位置にあるときには、
上記第１の光学素子は、上記本体部の内部において起立状態とされて、上記反射面が上記照準光源に対向するように配置され、
上記第２の光学素子は、上記本体部の内部において起立状態とされて、上記反射面が上記第１の光学素子の反射面と上記カバー部の上記貫通開口の双方に対向するように上記照準光の光路に対して傾けた状態に配置され、
上記カバー部が閉位置にあるときには、
上記第１の光学素子及び上記第２の光学素子は、上記本体部の内部において倒置状態とされて、上記各反射面が上記カバー部の上面と略平行若しくは傾いた状態で収納配置されることを特徴とする請求項３に記載の光学照準器。
【請求項５】
上記多節リンク機構は、スコットラッセル機構を適用して構成されていることを特徴とする請求項１に記載の光学照準器。
【請求項６】
さらに、照準光源調整機構を具備し、
上記照準光源調整機構は、上記照準光源から発散させる照準光の上下方向の発散方向を調整することを特徴とする請求項１に記載の光学照準器。
【請求項７】
上記筐体部は、電源部をさらに具備することを特徴とする請求項１に記載の光学照準器。
【請求項８】
上記電源部は、上記筐体部の内部において、上記第１の光学素子の配置されている部位よりも底面側に配置されていることを特徴とする請求項７に記載の光学照準器。
【請求項９】
上記筐体部は、アクセサリ取付部をさらに具備することを特徴とする請求項１に記載の光学照準器。
【請求項１０】
上記アクセサリ取付部は、外部機器からの電力供給を受け得る電気接点を、さらに具備することを特徴とする請求項９に記載の光学照準器。
【請求項１１】
アクセサリ取付部を備えて構成され、外部機器との間に介在する取付用補助具を、さらに具備したことを特徴とする請求項１に記載の光学照準器。
【請求項１２】
上記取付用補助具は、上記外部機器の三脚ネジ穴を利用して装着可能に構成されていることを特徴とする請求項１１に記載の光学照準器。
【請求項１３】
上記取付用補助具は、上記外部機器を含めた機器を把持するグリップ部と、上記外部機器を操作するための操作部材を有して構成されていることを特徴とする請求項１１に記載の光学照準器。
【発明の詳細な説明】
【技術分野】
【０００１】
この発明は、撮像装置や各種光学機器等に装着して使用する外付け型の光学照準器に関するものである。
【背景技術】
【０００２】
従来、カメラ（デジタルカメラ，デジタルビデオカメラ等を含む）等の撮像装置を用いて遠距離にある撮像対象物（被写体）を拡大して撮像する場合や、望遠鏡（フィールドスコープ，スポッティングスコープ，双眼鏡等を含む）等の観察用の各種光学機器を用いて遠距離にある観察対象物を拡大して観察する場合等においては、撮像視野又は観察視野が狭くなるために、撮像若しくは観察を所望する対象物を撮像視野若しくは観察視野内に迅速かつ確実に導入することが困難であることが知られている。
【０００３】
そのために、例えば特開２００７−１８７３９７号公報，特表２００１−５００９９０号公報等によって開示されているような形態の光学照準器を、撮像装置や各種光学機器等に取り付けて使用することで、被写体又は観察対象物の視野内への導入を容易に行うことができるようにする手段が、種々提案され実用化されている。
【先行技術文献】
【特許文献】
【０００４】
【特許文献１】特開２００７−１８７３９７号公報
【特許文献２】特表２００１−５００９９０号公報
【発明の概要】
【発明が解決しようとする課題】
【０００５】
ところが、上記特開２００７−１８７３９７号公報，上記特表２００１−５００９９０号公報等によって開示されている形態の光学照準器では、例えば日中野外の太陽光下等の環境において使用する場合に、光源からの発散光が瞳に入る。そのため、レティクル（照準マーク）の視認性が充分に確保できないことがあるという問題点がある。
【０００６】
また、上記各公報等によって開示されている従来の形態の光学照準器は、使用機器の前方にある所望の被写体又は観察対象物に対して、撮像視野又は観察視野を正対させて配置し、使用者（ユーザ）は、その視野像を機器の背面側から視認する形態となる。
【０００７】
しかしながら、撮像装置若しくは望遠鏡等の機器の使用時の環境によっては、所望の被写体又は観察対象物に対して撮像視野又は観察視野を正対させて配置した状態としたとき、光学照準器の視野像を楽な姿勢で視認することが困難な場合もあり得る。
【０００８】
具体的には、例えば撮像装置等において、所望の構図を得るために極端なローアングル撮影若しくはハイアングル撮影等を行う場合には、撮像装置自体を使用者（ユーザ）の視線位置に対して極端な低い位置若しくは高い位置に配置することになるので、光学照準器の視野像を撮像装置の背面側から、楽な姿勢で正確に視認することが困難となる。
【０００９】
また、例えば望遠鏡等の観察機器等において、所望の観察対象物が天頂付近にある場合（例えば天体や飛行中の鳥，飛行機等を観察する場合）等には、当該観察機器等の光学系の光軸を大きな仰角に設定することになり、これに伴って光学照準器の視野方向も同方向に向けられることになる。このような場合にも、光学照準器の視野像を観察機器等の背面側からでは、楽な姿勢で正確に視認することが困難となる。
【００１０】
本発明は、上述した点に鑑みてなされたものであって、その目的とするところは、使用環境に応じて常に楽な姿勢で視野像を視認することができ、かつ常に良好な状態でレティクル（照準マーク）を確実に視認することができ、よって使用者（ユーザ）の利便性の向上に寄与し得る構成を備えた光学照準器を提供することである。
【課題を解決するための手段】
【００１１】
上記目的を達成するために、本発明に一態様の光学照準器は、照準光を発散させる照準光源と、照準対象に対向させて前面側に配置され、照準対象領域からの入射光を透過させると共に、上記照準光源からの照準光を上記前面側と相反する背面側に向けて反射させる反射面を有する第１の光学素子と、上記照準光源から発する照準光の光路に対して角度略４５度〜６０度傾けて配置され、上記照準光源からの照準光若しくは上記照準対象領域からの入射光を透過させると共に、上記照準対象領域からの入射光若しくは上記照準光源からの照準光を反射させる反射面を有する第２の光学素子と、上記照準光源と上記第１の光学素子及び上記第２の光学素子とを収納する筐体部と、を具備し、上記筐体部は、上面側に開口を有する本体部と、上記本体部の上面側を覆い、一部に貫通開口を形成したカバー部と、上記本体部と上記カバー部とを連結すると共に上記本体部の上記開口に対し上記カバー部を開閉移動させる多節リンク機構とを具備して構成され、上記カバー部は、上記本体部の上面側の開口を被覆する閉位置と、上記本体部の上面側の開口から離間した位置に配置され上記本体部の上方を覆うと共に上記照準光源からの照準光の光路に沿う光路開口を形成する開位置と、の間において上記多節リンク機構によって移動する。
【発明の効果】
【００１２】
本発明によれば、使用環境に応じて常に楽な姿勢で視野像を視認することができ、かつ常に良好な状態でレティクル（照準マーク）を確実に視認することができ、よって使用者（ユーザ）の利便性の向上に寄与し得る構成を備えた光学照準器を提供することができる。
【図面の簡単な説明】
【００１３】
【図１】本発明の第１の実施形態の光学照準器を撮像装置に取り付けた状態を示し、かつ同光学照準器の内部構成を示す右側面の概念図
【図２】図１の上面から見た図
【図３】本実施形態の光学照準器の内部構成を示す右側面図
【図４】本実施形態の光学照準器における照準光源及び照準光源調整機構を取り出して示す右側面図
【図５】図４の上面図
【図６】本発明の第２の実施形態の光学照準器における主要な内部構成物の配置を右側面から見た図
【図７】図６の前面から見た図
【図８】図６の上面から見た図
【図９】本発明の第３の実施形態の光学照準器における主要な内部構成物の配置を右側面から見た図
【図１０】本発明の第４の実施形態の光学照準器の非使用時の形態（カバー閉状態）における全体構成を示す外観斜視図
【図１１】本実施形態の光学照準器を使用時の形態（カバー開状態）として撮像装置（使用機器）に取り付けた状態を示す外観斜視図
【図１２】本実施形態の光学照準器の主要な内部構成物の配置を概念的に示し、右側面から見たようすを示す図（非使用形態を実線で示し使用形態を二点鎖線で示す）
【図１３】第２の光学素子についての変形例を示す図
【図１４】第２の光学素子についての別の変形例を示す図
【図１５】第２の光学素子についての他の変形例を示す図
【図１６】第２の光学素子についてのさらに異なる変形例を示す図
【発明を実施するための形態】
【００１４】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１５】
なお、本実施形態においては、本発明を適用した光学照準器の使用時に、対象物に対向する面を前面というものとする。また、当該光学照準器の使用時に使用者が対面する面を背面というものとする。一方、当該光学照準器の筐体部の上側の面を上面というものとする。また、当該光学照準器の上面に対向する面を底面というものとする。他方、使用状態における当該光学照準器の両側面を、それぞれ左側面及び右側面というものとする。この場合における左右の判別は、当該光学照準器の使用時において対象物側から当該光学照準器の前面に向かって見たときの左側及び右側をそれぞれ左及び右として区別するものとする。
【００１６】
［第１の実施形態］
図１〜図５は、本発明の第１の実施形態を示す図である。このうち、図１，図２は、本実施形態の光学照準器を撮像装置に取り付けた状態を示し、かつ本実施形態の光学照準器の内部構成を示す概念図である。なお、図１は右側面図であり、図２は上面図である。また、図３は、本実施形態の光学照準器のみを示し、その内部構成を示す右側面図である。そして、図４，図５は、本実施形態の光学照準器における照準光源及び照準光源調整機構を取り出して示す図である。このうち、図４は右側面図であり、図５は上面図である。
【００１７】
本実施形態の光学照準器１は、例えばカメラ（デジタルカメラ，デジタルビデオカメラ等を含む）等の撮像装置や、望遠鏡（フィールドスコープ，スポッティングスコープ，双眼鏡等を含む）等の観察用の各種光学機器等を使用して遠距離にある対象物（被写体）を拡大して撮像若しくは観察する際に、上記各機器に直接装着し若しくは上記各機器の近傍に不図示の取付具を用いて固定することによって、所望の対象物を当該光学照準器１を取り付けて使用する使用機器（例えば上記撮像装置等。以下、単に使用機器と略記する）の撮像視野若しくは観察視野内へ導入する際に照準を補助するための外部光学機器である。本実施形態において例示する光学照準器１は、一般にドットサイト等と称されている形態を有するものである。なお、以下の説明においては、当該光学照準器１をカメラ等の撮像装置（不図示）に装着して使用する場合を想定している。
【００１８】
ここで、まず、本実施形態の光学照準器１を取り付けて使用する使用機器としての撮像装置１００の構成を、以下に簡単に説明する。
【００１９】
撮像装置１００は、図１，図２に示すように、箱型形状を有するボディ１０１と、筒型形状を有するレンズ鏡筒１０２とによって構成される。ボディ１０１の上面には、例えば撮像モードダイヤル１０６，シャッターリリースボタン１０７，電源オンオフボタン１０８等の複数の操作部材が設けられている。また、ボディ１０１の上面の略中央部分には、各種のアクセサリ機器、例えば本実施形態の光学照準器１や汎用の閃光発光装置等を着脱可能とするアクセサリシュー１０４が配設されている。そして、ボディ１０１の背面には、例えば各種設定等を行なうダイヤル等を含む複数の操作部材（不図示）が設けられているほか、撮像動作時のライブビュー画像を表示したり撮像済み画像を表示する表示装置１０５が、その表示面を背面外方に向けて配設されている。さらに、ボディ１０１の前面にはマウント部１０３が設けられている。このマウント部１０３は、レンズ鏡筒１０２を当該ボディ１０１の前面に対し着脱自在に配設するための取り付け機構である。
【００２０】
レンズ鏡筒１０２は、上記マウント部１０３を介してボディ１０１の前面に取り付けられて、当該ボディ１０１の前方に向けて突出するように配設される。レンズ鏡筒１０２は、その詳細構成の図示は省略しているが、複数の光学レンズからなる撮像光学系と、これら複数の光学レンズをそれぞれ保持する複数の筒部材と、これら複数の筒部材の一部を上記撮像光学系の光軸に沿う方向に進退駆動するための駆動機構等によって構成されている。なお、レンズ鏡筒１０２の構成としては、上述したようにマウント部１０３を介してボディ１０１の前面に着脱自在とする形態のもの（いわゆるレンズ交換式撮像装置に対応する交換レンズ鏡筒）のほかにも、ボディ１０１の前面に固設される形態のもの（いわゆるレンズ固定式撮像装置に応じた構成のレンズ鏡筒）であってもよい。なお、図面において、符号Ｏで示す直線は、レンズ鏡筒１０２における撮像光学系（不図示）の光軸を示すものである。
【００２１】
アクセサリシュー１０４は、断面がチャンネル形状に形成される一対の保持部のそれぞれを、互いに対向するように配置した形態で、光学照準器１やその他の外部機器に共通形態で設けられる接続嵌合部１８が嵌合され、これを保持し得るように構成される取り付け部位である。アクセサリシュー１０４は、主に導電性の金属部材を用いて形成されている。
【００２２】
また、上記撮像装置１００の上面においては、上記アクセサリシュー１０４の一対の保持部によって囲まれる部位に、複数の電気接点（不図示）が設けられる構成としてもよい。これらの複数の電気接点は、ボディ１０１の内部に設けられる電気回路（不図示）に接続されている。また、これら複数の電気接点は、当該撮像装置１００に上記光学照準器１が取り付けられた状態となったとき、つまりアクセサリシュー１０４に接続嵌合部１８が嵌合配置されたとき、光学照準器１側の接点（不図示）が接触する位置に配置されている。したがって、撮像装置１００側の複数の電気接点と光学照準器１側の接点とは、撮像装置１００と光学照準器１とを電気的に接続して、例えばボディ１０１側から光学照準器１側へと電力を供給したり、光学照準器１側の照準光源１５の動作状態をボディ１０１側の制御部（不図示）へと伝達する等の信号通信を行う手段として機能するように構成される。その他、撮像装置１００としての構成は、従来一般的に実用化されている撮像装置と略同様である。
【００２３】
本実施形態の光学照準器１は、上述のように構成される既存の撮像装置１００（所望の使用機器）のアクセサリ取付部、即ちアクセサリシュー１０４に取り付けて、所定の調整を適正に行った後に、実際の使用に供することができる。
【００２４】
次に、本実施形態の光学照準器１の概略的な内部構成について、図１〜図５を用いて以下に説明する。
【００２５】
本実施形態の光学照準器１は、筐体部１０と、第１の光学素子１２と、第２の光学素子１３と、コリメーターレンズ１４と、照準光源１５と、照準光源調整機構１６等を具備して構成されている。
【００２６】
筐体部１０は、全体として箱型形状に形成され、当該光学照準器１の本体を構成する部材である。この筐体部１０の内部には、上記照準光源１５，上記第１の光学素子１２，上記第２の光学素子１３等の各種構成部材が、それぞれ所定の部位に所定の形態で収納配置されている。
【００２７】
筐体部１０の底面側の外面には、当該光学照準器１を撮像装置１００（使用機器）のアクセサリシュー１０４に嵌合させて取り付けるための接続嵌合部１８が配設されている。
【００２８】
筐体部１０の上面には、後述するように当該筐体部１０の内部に所定の形態で配置される第２の光学素子１３の反射面に対向する部位に、当該第２の光学素子１３の反射面を覗き得るようにした覗き窓となる上面開口１０ａが形成されている。
【００２９】
上記上面開口１０ａは、スライドカバー部材１１によって開閉されるように構成されている。つまり、スライドカバー部材１１は上面開口１０ａを閉状態として内部構成物を保護する閉位置と、上面開口１０ａを開状態として当該上面開口１０ａから第２の光学素子１３の反射面を視認し得る状態とする開位置との間でスライド移動可能に構成されている。この場合において、当該スライドカバー部材１１は、筐体部１０の例えば上面側内面に沿って図１〜図３に示すＺ軸に沿う方向に移動し得るように構成されている。図１，図２に示す状態はスライドカバー部材１１が閉位置にある状態を示している（実線）。図１，図２においてスライドカバー部材１１の開位置を二点鎖線で示している。また、図３に示す状態はスライドカバー部材１１が開位置にある状態を示している（実線）。図３においてスライドカバー部材１１の閉位置を二点鎖線で示している。
【００３０】
なお、スライドカバー部材１１のスライド機構は、概略次のような構成となっている。即ち、筐体部１０の上面側の内面において上面開口１０ａの近傍に、スライドカバー部材１１をＺ軸方向に摺動自在に保持するスライド溝（不図示）が設けられている。スライドカバー部材１１は、このスライド溝に沿って摺動移動するように配設される。ここで、スライドカバー部材１１の開閉位置を検出するための位置検出スイッチ等（不図示）を設けてもよい。この場合には、位置検出スイッチ等の信号のオンオフに応じて、当該光学照準器１の電源オンオフ（即ち照準光源１５のオンオフ）制御を行うといったことも可能である。また、スライドカバー部材１１の開位置及び閉位置を使用者（ユーザ）が認識するとともに、その位置を維持し得るように、例えばスライドカバー部材１１と上記スライド溝（不図示）との間にクリックストップ機構（クリックバネ及びクリックボール等）を設けるようにしてもよい。
【００３１】
このようなスライドカバー部材１１のスライド機構の具体的な構成については、例えば従来の撮像装置等においてレンズ前面を開閉するためのスライドカバー部材等のスライド機構と略同様のものを適用することができる。したがって、当該スライドカバー部材１１のスライド機構に関するその他の詳細構成については、その図示及び説明を省略する。
【００３２】
筐体部１０の前面側には、当該光学照準器１を取り付けた撮像装置１００の前方にある被写体若しくは照準対象とする対象物を含む領域（即ち、被写体領域若しくは照準対象領域。以下の説明では単に被写体領域等というものとする）からの入射光を通過させるための前面開口１０ｂが形成されている。後述するように、筐体部１０の内部において、前面開口１０ｂの近傍には第１の光学素子１２が、その反射面を背面側に向けて配設されている。
【００３３】
照準光源１５は、照準光を発散させる光源と、この光源を駆動する電子回路等を含んで構成される構成ユニットである。この照準光源１５は、筐体部１０の内部において、背面寄りの部位に配設されている。この照準光源１５の光源としては、具体的には例えば赤色光を発光する発光ダイオード（Light Emitting Diode；ＬＥＤ）等が適用されている。この照準光源１５から発散される照準光によって形成される照準光の像（レティクル，照準マーク，視野目盛等と呼ぶ。以下レティクル等というものとする）。このレティクル等の一般的な形態としては、例えば点形状や十字線形状等である。この場合、十字線等の照準用マークを設け、そのマークを見やすく光らせるために例えばレーザ光等を使用して、その照明光をドットパターンの中心に集中させるように構成すればよい。これにより、照準光源１５から発散される照準光は、例えば各種形状のマーク（サターン，マスタークロス，ドット，クロス等）として表示させることができる。
【００３４】
なお、図１〜図３において、照準光源１５を駆動するための電力を供給する電源電池及びそれに付随する電子回路等を含む電源部については、その図示を省略している。本実施形態の光源照準器１における電源部は、例えば筐体部１０の内部において底面側等の空間に配設される。または、光学照準器１が電源部を具備しない構成とすることも可能である。その場合の構成としては、例えば当該光学照準器１と撮像装置１００（使用機器）とを接続した状態で、接続嵌合部１８及びアクセサリシュー１０４を介して電気的な接続を確保することにより、撮像装置１００（使用機器）側から当該光学照準器１側への電力供給を行い得るような構成とすればよい。
【００３５】
コリメーターレンズ１４は、上記照準光源１５から発散した光を透過させて平行光束として出射する光学素子である。コリメーターレンズ１４は、上記照準光源１５の前方に配置されている。これにより、照準光源１５から発散された照準光は、当該コリメーターレンズ１４を透過することにより平行光束となって前方に向けて出射されて、第２の光学素子１３を介して第１の光学素子１２の反射面に到達する。
【００３６】
なお、照準光源１５と第１の光学素子１２との間の距離が長い光路長となる場合には、上記コリメーターレンズ１４を省略して構成することも可能である。光路長が長い場合には、照準光源１５から発散される光束は充分に平行光束として発散されるからである。
【００３７】
また、第２の光学素子１３とコリメーターレンズ１４とを一体化して構成する形態も考えられる。例えば図１３は、第２の光学素子の変形例を示す図である。この変形例に示す第２の光学素子１３Ａは、平凸レンズを半分に切断した形態の光学素子である。即ち、この第２の光学素子１３Ａは、背面側の一面が凸面状に形成され、上述のコリメーターレンズ１４と同様の機能、即ち照準光源１５からの光束を透過させて平行光束として出射する入射面１３Ａａを有している。また、上記第２の光学素子１３Ａは、前面側の一面が平面形状に形成され、上述の第２の光学素子１３と同様の機能、即ち背面の照準光源１５からの光束を透過させると共に、前面の第１の光学素子１２の反射面からの反射光束及び被写体領域からの入射光を反射させる反射面１３Ａｂを有して構成されている。この反射面１３Ａｂは、照準光源１５の光軸に対して角度略４５度傾斜させて配設される。このような構成の第２の光学素子１３Ａを用いることにより、上述のコリメーターレンズ１４を省略した構成としながら、同コリメーターレンズを設けた場合と同等の機能を備えることができる。
【００３８】
さらに、コリメーターレンズ１４を省略しながら平行光束を形成するための構成の変形例としては、例えば第２の光学素子の背面側にホログラム素子を用いたホログラムレンズを接合する形態が考えられる。
【００３９】
例えば、図１４は、ホログラムレンズを一枚用いて構成する場合の一例を示す。この別の変形例においては、図示のように、平行平面板からなる第２光学素子１３Ｂの背面側の一面に一枚のホログラムレンズ５３を接合配置している。このホログラムレンズ５３は、例えば入射角９０度，出射角４５度で集光させるレンズ機能とビーム整形機能を有する透過型ホログラムで形成される。そして、照準光源１５は上記ホログラムレンズ５３の収束位置に配置される。この構成により、照準光源１５から発散された光束は、ホログラムレンズ５３を通過して平行平面板を透過すると平行光束として出射する。
【００４０】
また、図１５は、ホログラムレンズを二枚用いて構成する場合の他の一例を示す。この他の変形例においては、図示のように、平行平面板からなる第２光学素子１３Ｃの背面側の一面に二枚のホログラムレンズ５３を重ねて接合配置している。この二枚のホログラムレンズのうちの一枚は、上述の図１４の変形例と同様のものを用いる。また、他の一枚は、整形機能を有する透過型ホログラムで形成される。このように機能の異なるホログラムレンズを重ねて使用すると、照準光源１５の発散光の光軸に対し角度４５度傾けて配置した平行平面板から出射する光束の光軸は平行となる。この構成により、照準光源１５から発散された光束は、二枚のホログラムレンズ５３を通過して、平行平面板を透過すると、平行光束として出射する。
【００４１】
また、コリメーターレンズ１４を省略しながら平行光束を形成するためのさらに異なる変形例としては、図１６に示すような形態も考えられる。図１６は、第２の光学素子１３Ｄの形態として、平行平面板と正レンズとを一体化して形成した一例を示す。
【００４２】
当該第２の光学素子１３Ｄは、背面側の一面が正レンズ面からなり、前面側の他面が平面形状のハーフミラー機能を有する反射面からなる。ここで、前面側の反射面は、前方の被写体領域からの入射光の光軸に対して傾けて配置されている。また、照準光源１５は、背面側の正レンズに対向する位置において、上記入射光の光軸上に配設されている。この構成により、照準光源１５から発散された光束は、正レンズに入射して、そのレンズパワーにより平行光束にビーム整形されて、上記光軸に沿う方向に進行し、反射面から出射する。
【００４３】
第１の光学素子１２は、被写体領域等からの入射光を透過させると共に、上記照準光源１５から発散され上記コリメーターレンズ１４により平行光束となった光束を、上記前面とは相反する背面側に向けて反射する反射面を有する光学素子である。本実施形態において第１の光学素子１２は、例えば放物面形状もしくは放物面に近似した凹曲面状の反射面を有し、例えば透明なガラス若しくは透明樹脂材料によって形成される光学部材である。そして、この第１の光学素子１２の反射面は、可視光波長域のうちの特定の波長域の光、例えば赤色光のみを反射する一方、上記特定の波長域の光以外の他の波長域の光を透過する誘電多層膜等が設けられたダイクロイックミラー若しくはハーフミラー等が適用されている。この第１の光学素子１２は、図３に示すように、第１保持枠２２によって保持されて、筐体部１０の固定部に固定されている。
【００４４】
本実施形態ではコリメーターレンズを用いて説明したが、ビーム整形機能を有するシリンドリカルレンズやトーリックレンズ、屈折分布型レンズ、液晶レンズなどに置き換えることもできる。
【００４５】
さらに、図示は省略するが、例えば、非球面やフレネル球面レンズを使用するビーム整形光学素子や平凸レンズを傾斜させて配置するといった形態のもの、即ち複数の光学素子を一体化して形成した複合光学素子に置き換えることもできる。
【００４６】
この種の構成とする場合、光源から発散した発散光は、放物線の回転体である回転放物面（paraboloid of revolution）の一部（トロイダル凹面鏡も含む）で反射して放物線の軸に平行に出射する。この平行光束を整形プリズムを用いて屈折させて出射させることができる。
【００４７】
このような複合光学素子を用いた場合、光源と非球面レンズの光軸が一直線上に配置することができ、また、回転放物面での入射角および反射角を９０度（互いに直交する状態）とすることができる。したがって、組み立て時の複合光学素子の位置決めが容易となり、組み立て製の向上に寄与することができるという効果がある。
【００４８】
第１の光学素子１２は、上述したように、筐体部１０の内部において上記前面開口１０ｂの近傍に配設されている。つまり、第１の光学素子１２は、具体的には筐体部１０の内部において、被写体（照準対象物）に対向させて筐体部１０の前面に配置され、被写体領域等からの入射光を透過させると共に、筐体部１０の背面寄りの部位に配設されている上記照準光源１５からの照準光を上記前面とは相反する背面側に向けて反射させ得る部位に配設されている。
【００４９】
第２の光学素子１３は、上記第１の光学素子１２と上記コリメーターレンズ１４（照準光源１５）との間に配置され、上記第１の光学素子１２と同様構成からなる光学素子である。この第２の光学素子１３は、コリメーターレンズ１４を介した照準光源１５からの照準光（平行光束）を透過させて前方にある第１の光学素子１２の反射面へと出射すると共に、第１の光学素子１２を透過した被写体領域等からの入射光を反射させて上記上面開口１０ａ側へと導く反射面を有して構成される。そのために、第２の光学素子１３は、被写体領域等からの入射光の光路及び照準光源１５の照準光の光路（図１等において符号Ｌ参照）に対して角度略４５度〜６０度だけ傾けて、当該光路上に配置されている。この場合において、第２の光学素子１３の反射面は、被写体領域等つまり前面側に向けられている。そして、この第２の光学素子１３は、図３に示すように、第２保持枠２３によって保持されて、筐体部１０の固定部に固定されている。
【００５０】
照準光源調整機構１６は、照準光源１５から発散される照準光の方向のうち特に上下方向の調整を行うための調整機構である。照準光源調整機構１６は、筐体部１０の内部において背面寄りの部位であって、照準光源１５の後方位置に配設されている。なお、図１〜図３においては、照準光源調整機構１６を、単に一点鎖線による矩形状の枠線によって、その配置部位のみを示している。照準光源調整機構１６の詳細構成は、図４，図５に示している。
【００５１】
ここで、照準光源調整機構１６の詳細構成について、主に図４，図５を用いて以下に説明する。
【００５２】
照準光源調整機構１６は、上記照準光源１５を回動自在に保持し筐体部１０の内部において固定部分に固設される本体１６ａと、調整用の操作部材である光源調整用ダイヤル３１と、この光源調整用ダイヤル３１の回転を照準光源１５に伝達する歯車（３３，３４）及びカム（３６）等からなる伝達機構部等によって構成されている。
【００５３】
ここで、照準光源１５は、図１〜図３においては図示を省略しているが図４，図５に示すように、光源保持枠２５によって保持されている。そして、この光源保持枠２５は、本体１６ａに対し回転支軸２５ａにおいて同軸周りに回動自在となるように配設されている。これにより、照準光源１５を搭載した光源保持枠２５は、回転支軸２５ａ周りに図４に示す矢印Ｒ２方向に揺動可能となっている。この場合において、光源保持枠２５は、本体１６ａの固定部との間に懸架された二本の緊縮性を有するコイルばね等の付勢部材３７によって、上記矢印Ｒ２方向への揺動が規制されている。なお、光源保持枠２５が矢印Ｒ２方向に揺動するのに際し、背面側への傾倒は、後述するカム３６に当接することで規制されている（詳細後述）。この構成により、照準光源１５を搭載した光源保持枠２５は、通常状態では図４に示す状態が維持されている。
【００５４】
光源調整用ダイヤル３１は、光源調整用の回転操作部材である。この光源調整用ダイヤル３１は、後述する伝達機構部の内部から延出されて筐体部１０の背面側の壁部を貫通して当該筐体部１０の外部へと突出する回転軸３２の一端部に固設されている。ここで、光源調整用ダイヤル３１は、筐体部１０に対して図４に示す矢印Ｒ１方向に正逆回転自在に配設されている。そして、光源調整用ダイヤル３１は、筐体部１０との間にクリック機構３８を介在している。このクリック機構３８は、図５に示すように、クリックばね３８ａとクリックボール３８ｂと、これに対応して光源調整用ダイヤル３１側の対向面に周方向に所定の間隔で複数形成されるクリック凹部（不図示）とによって構成される一般的な構成からなる。この構成により、使用者（ユーザ）が上記光源調整用ダイヤル３１を正逆いずれかの方向に回転操作すると、クリック凹部に対してクリックボール３８ｂが嵌入と脱出を繰り返すことにより、所定力量のクリック感若しくはクリック音を伴う操作感を得ることができるように構成されている。したがって、使用者（ユーザ）は、光源調整用ダイヤル３１の回転操作を行うことによって発生するクリック感のカウント数に基づいて光源位置の調整の目安とすることができる。
【００５５】
次に、上記光源調整用ダイヤル３１の回転を照準光源１５（光源保持枠２５により保持された）へと伝達する伝達機構部の構成を説明する。当該伝達機構部は、複数の歯車（３３，３４）及びカム（３６）と、それら部材を支持する回転軸等によって構成される。
【００５６】
光源調整用ダイヤル３１の回転軸３２は、上述したように筐体部１０の内部における伝達機構部から延出している。この回転軸３２の基端部には、ハイポイドピニオンギヤ３３が同軸上に固設されている。このハイポイドピニオンギヤ３３は、上記回転軸３２と軸心がずらされて当該回転軸３２に対し直交方向に延出するように載置されるギヤ軸３５と同軸上に固設されるハイポイドギヤ３４と噛合している。このギヤ軸３５は、本体１６ａの固定部分に回動自在に軸支されている。当該ギヤ軸３５の同軸上には、さらに所定形状のカム面を外周面上に有するカム３６が固設している。このカム３６のカム面は、光源保持枠２５の背面に当接している。これにより、カム３６は、光源保持枠２５が二本の付勢部材３７の付勢力によって背面側に傾倒するのを支えている。
【００５７】
このように構成された照準光源調整機構１６は、次のように作用する。即ち、まず、使用者（ユーザ）が光源調整用ダイヤル３１を回転操作する。すると、これにより、ハイポイドピニオンギヤ３３が同方向に回転する。ハイポイドギヤ３４の回転は、これに噛合するハイポイドギヤ３４を所定方向に回転させる。すると、ハイポイドギヤ３４とはギヤ軸３５を介して同軸上に固設されているカム３６が同方向に回転する。カム３６のカム面は光源保持枠２５の背面に当接しているので、当該光源保持枠２５は、カム３６のカム面形状に従って矢印Ｒ２に沿う方向に、付勢部材３７の付勢力に抗して、若しくは付勢部材３７の付勢力に応じて、回転支軸２５ａ周りに揺動する。したがって、これにより、光源保持枠２５に搭載された照準光源１５の指向方向が上下方向（Ｙ軸方向）において変化する。つまり、照準光源１５から発散される照準光の光路を変化させ、照準光源１５が所望の位置を指向するように調整することができる。つまり、光学照準器１の光路Ｌと撮像装置１００（使用機器）の撮像光学系の光軸Ｏとの交差点、即ち視差の調整を容易に行うことができる。
【００５８】
本実施形態の光学照準器１に適用した上記構成の照準光源調整機構１６によれば、使用者（ユーザ）が調整操作を簡単に行うことができると共に、操作部材の回転を伝達する伝達機構部の部品点数を削減することができるので筐体部１０の内部占有空間を少なくできるので、光学照準器１自体の小型化を阻害することがない。
【００５９】
そして、上述したような調整を済ませた後、本実施形態の光学照準器１を取り付けた撮像装置１００を用いて撮像動作を行うのに際しては、使用者（ユーザ）は、図３に示すように、上面開口１０ａから第２の光学素子１３の反射面を視認する。図３においては、使用者（ユーザ）が目２００によって、上面開口１０ａから第２の光学素子１３の反射面を覗いている様子を示している。
【００６０】
この状態において、上記第２の光学素子１３の反射面には、被写体領域等の像内若しくは近傍に、照準光源１５が発した光束の虚像が生じる。使用者（ユーザ）は、これを視認しながら、照準光源１５の虚像と、撮像対象とする主要被写体像とを重ね合わせるように、撮像装置１００の撮像光学系の光軸Ｏの方向を設定する。このようにして、所望の被写体（照準対象物）を撮像範囲内に容易に導入することができる。そうして、照準光源１５の虚像と、撮像対象物の像とが重畳した任意のタイミングで撮像装置１００を操作して撮像動作を実行する。これにより、所望の被写体の撮影を容易に行うことができる。
【００６１】
以上説明したように、上記第１の実施形態によれば、筐体部１０の上面に上面開口１０ａを設けると共に、被写体領域等からの入射光の光路及び照準光源１５の照準光の光路（図１等において符号Ｌ参照）に対して角度略４５度〜６０度だけ傾けて配置した第２の光学素子１３を備え、上記上面開口１０ａに対向する部位に上記第２の光学素子１３の反射面を配置するように構成している。したがって、この構成により、当該光学照準器１を取り付けた撮像装置１００（使用機器）の上面から上面開口１０ａを介して第２の光学素子１３の反射面を覗き込む無理のない姿勢で照準を行うことができる。特に、この姿勢においては、例えばローアングル撮影時若しくはハイアングル撮影時等であっても、また、所望の被写体（対象物）が天頂付近にある場合、具体的には例えば天体撮影時や鳥若しくは飛行機等の飛行物体を撮像（観察）するような場合であっても、常に楽な姿勢で正確な照準を行うことができる。
【００６２】
また、筐体部１０の内部に各構成物を収納配置して、各構成物の全体が覆われる形態とし、筐体部１０の上面に設けた上面開口１０ａから覗き込むことで、所望の照準を行うようにしたので、不要な外光が遮断されて、常に明瞭な照準光の像（レティクル，照準マーク）を視認することができる。
【００６３】
［第２の実施形態］
次に、本発明の第２の実施形態の光学照準器について、以下に説明する。図６〜図８は、本実施形態の光学照準器における主要な内部構成物の配置を示す図である。このうち図６は右側面から見たようすを示している。図７は前面から見たようすを示している。図８は上面から見たようすを示している。
【００６４】
本実施形態の構成は、基本的には上述の第１の実施形態と略同様である。したがって、上記第１の実施形態と同様の構成については、同じ符号を付してその説明を省略し、異なる部分についての構成を以下に詳述する。
【００６５】
本実施形態の光学照準器１Ａは、上述の第１の実施形態と略同様に、筐体部１０Ａと、第１の光学素子１２と、第２の光学素子１３と、照準光源１５と、照準光源調整機構１６等を具備して構成されている。なお、本実施形態においては、コリメーターレンズを設けていないが、上記第１の実施形態と同様に、照準光源１５の前方にコリメーターレンズを配設する構成としてもよい。
【００６６】
筐体部１０Ａは、上記第１の実施形態と同様に、全体として箱型形状に形成されている。この筐体部１０Ａの内部には、上記照準光源１５，上記第１の光学素子１２，上記第２の光学素子１３等の各種構成部材が、それぞれ所定の部位に所定の形態で収納配置されている。
【００６７】
筐体部１０Ａの底面側の外面に撮像装置（使用機器）のアクセサリシューに対応した接続嵌合部１８が配設されている点は、上記第１の実施形態と同様である。
【００６８】
筐体部１０Ａの前面側には、上記第１の実施形態と略同様形態の前面開口１０ｂが形成されている。筐体部１０Ａの内部において、この前面開口１０ｂの近傍には、第１の光学素子１２が配設されている。
【００６９】
筐体部１０Ａの背面側には、背面開口１０ｃが形成されている。この背面開口１０ｃは、上記第１の実施形態における上面開口１０ａは代えて設けられる第２光学素子１３の視認用の覗き窓である。そのために、筐体部１０Ａの内部において、上記背面開口１０ｃの近傍には、例えばガラス若しくは樹脂製の透明な平行平面板からなるカバーガラス２１が配置されている。このカバーガラス２１は、筐体部１０Ａ内部を保護すると共に、当該光学照準器１Ａの使用時に、使用者（ユーザ）が上記背面開口１０ｃから第２の光学素子１３を視認することを許容している。
【００７０】
上記第１の光学素子１２は、上述の第１の実施形態と同様に、被写体（照準対象物）に対向させて筐体部１０Ａの前面に配置され、被写体領域（照準対象領域）等からの入射光を透過させると共に、照準光源１５からの照準光を上記前面とは相反する背面側に向けて反射させ得る部位に配設されている。この第１の光学素子１２の具体的な構成は、上記第１の実施形態と同様である。第１の光学素子１２は、第１保持枠２２によって保持されて、筐体部１０Ａの固定部に固定されている。
【００７１】
照準光源１５は、照準光を発散させる光源と、この光源を駆動する電子回路等を含んで構成される構成ユニットであり、その詳細構成は上述の第１の実施形態と同様である。ただし、本実施形態においては、照準光源１５は、筐体部１０Ａの内部において、側面部位に配設されている。本実施形態においては、図に示すように、筐体部１０Ａの内部において右側面部位に配置した例を示している。本実施形態において、照準光源１５からの照準光は、Ｘ軸に沿う方向に発散されるように構成されている。その照準光の光路上には、第２の光学素子１３が配設されている。
【００７２】
第２の光学素子１３は、第１の光学素子１２を透過した被写体領域からの入射光を透過させると共に、照準光源１５からの照準光を反射させて前方にある第１の光学素子１２の反射面へと反射させる反射面を有して構成されている。そのために、本実施形態における第２の光学素子１３は、照準光源１５の照準光の光路（図６〜図８において符号Ｌ１，Ｌ２参照）及び被写体領域からの入射光の光路（図６〜図８において符号Ｌ１参照）に対して例えば角度略４５度傾けて、当該光路上に配置されている。
【００７３】
この場合において、第２の光学素子１３の反射面は、前面に設けられている第１の光学素子１２の反射面に向けて配置されている。なお、第２の光学素子１３は、第２保持枠２３によって保持されて、筐体部１０Ａの固定部に固定されている。
【００７４】
なお、照準光源調整機構１６を含めたその他の構成は、上述の第１の実施形態と同様である。また、本実施形態においては、照準光源１５及び照準光源調整機構１６を筐体部１０Ａの内部において、右側面部位に配置した例を示しているが、この構成例に限られることはなく、例えば左側面部位に配置してもよい。その場合には、第２の光学素子１３の配置、即ち反射面の傾き配置も合わせて変更すればよい。
【００７５】
このように構成される本実施形態の光学照準器１Ａを撮像装置（不図示）等に取り付けて使用する場合、使用者（ユーザ）は、図６に示すように、背面開口１０ｃから第２の光学素子１３を視認する。図６においては、使用者（ユーザ）が目２００によって、背面開口１０ｃから第２の光学素子１３を覗いている様子を示している。
【００７６】
この状態において、照準光源１５から発した光束は、第２の光学素子１３の反射面で前方に反射した後、第１の光学素子１２の背面側の反射面で反射される。これにより、背面開口１０ｃから第２の光学素子１３を覗いている使用者（ユーザ）の目２００には、被写体領域の像と、照準光源１５が発した光束の虚像が重畳して視認し得るはずである。使用者（ユーザ）は、これを視認しながら、照準光源１５の虚像と、撮像対象とする主要被写体像とを重ね合わせるように、撮像装置の方向を設定する。こうにして、所望の被写体（照準対象物）を撮像範囲内に容易に導入することができる。そうして、照準光源１５の虚像と、撮像対象物の像とが重畳した任意のタイミングで撮像装置を操作して撮像動作を実行する。これにより、所望の被写体の撮影を容易に行うことができる。
【００７７】
以上説明したように、上記第２の実施形態によれば、照準光源１５及び照準光源調整機構１６等を筐体部１０Ａの内部において側面部位に配置したので、照準光の光路長を短くすることができ、よって装置の小型化に寄与することができる。
【００７８】
［第３の実施形態］
次に、本発明の第３の実施形態の光学照準器について、以下に説明する。図９は、本実施形態の光学照準器における主要な内部構成物の配置を示し、右側面から見たようすを示している。
【００７９】
本実施形態の構成は、基本的には上述の第１，第２の実施形態と略同様である。したがって、上記各実施形態と同様の構成については、同じ符号を付してその説明を省略し、異なる部分についての構成を以下に詳述する。
【００８０】
本実施形態の光学照準器１Ｂは、上述の各実施形態と略同様に、筐体部１０Ｂと、第１の光学素子１２と、第２の光学素子１３と、照準光源１５等を具備して構成されている。なお、本実施形態においてもコリメーターレンズを設けていないが、上記第１の実施形態と同様に、照準光源１５の前方にコリメーターレンズを配設する構成としてもよい。また、照準光源調整機構についても設けていない構成としているが、上記第１の実施形態と同様構成の照準光源調整機構を設けてもよい。
【００８１】
筐体部１０Ｂは、上記各実施形態と同様に、全体として箱型形状に形成されている。この筐体部１０Ｂの内部には、上記照準光源１５，上記第１の光学素子１２，上記第２の光学素子１３等の各種構成部材が、それぞれ所定の部位に所定の形態で収納配置されている。
【００８２】
筐体部１０Ｂの底面側の外面に撮像装置（使用機器）のアクセサリシューに対応した接続嵌合部１８が配設されている点は、上記各実施形態と同様である。
【００８３】
筐体部１０Ｂの前面側には、上記各実施形態と略同様形態の前面開口１０ｂが形成されている。筐体部１０Ｂの内部において、この前面開口１０ｂの近傍には、第１の光学素子１２が配設されている。
【００８４】
筐体部１０Ｂの上面側には、上記第１の実施形態と同様に、上面開口１０ａが形成されている。この上面開口１０ａはスライドカバー部材１１によって開閉されるように構成されている点も上記第１の実施形態と同様である。なお、図９に示す状態はスライドカバー部材１１が開位置にある状態を示している（実線）。同図９においてスライドカバー部材１１の閉位置を二点鎖線で示している。
【００８５】
筐体部１０Ｂの背面側には、上記第２の実施形態と同様に、背面開口１０ｃが形成されている。筐体部１０Ｂの内部において、上記背面開口１０ｃの近傍にはカバーガラス２１が固設されていて、このカバーガラス２１が筐体部１０Ｂの内部を保護すると共に、当該光学照準器１Ｂの使用時に、使用者（ユーザ）が上記背面開口１０ｃから第２の光学素子１３を視認することを許容している。
【００８６】
上記第１の光学素子１２は、上記各実施形態と同様に、被写体（照準対象物）に対向させて筐体部１０Ｂの前面に配置され、被写体領域（照準対象領域）等からの入射光を透過させると共に、照準光源１５からの照準光を上記前面とは相反する背面側に向けて反射させ得る部位に配設されている。第１の光学素子１２は、第１保持枠２２によって保持されて、筐体部１０Ｂの固定部に固定されている。
【００８７】
なお、本実施形態において、第１の光学素子１２は、照準光源１５の配置（後述する底面側の部位）に対応させて配置されている。具体的には、第１の光学素子１２の背面側の反射面を照準光源１５の照準光の光路上において当該照準光源１５に対向させて配置されている。これにより、第１の光学素子１２の反射面は、照準光源１５から発する照準光を所定の方向、即ち背面側に向けて反射し得るような配置となっている。
【００８８】
照準光源１５は、照準光を発散させる光源及び当該光源を駆動する電子回路等を含んで構成される構成ユニットであり、その詳細構成は上述の第１の実施形態と同様である。
【００８９】
なお、本実施形態においては、照準光源１５は、筐体部１０Ｂの内部において、底面部位に配設されている。この場合において、照準光源１５は、図９に示す符号Ｌ３に沿う方向、即ち前方に配置される第１の光学素子１２の反射面に向けて照準光を発散するように配設されている。
【００９０】
第２の光学素子１３は、第１の光学素子１２を透過した被写体領域からの入射光を反射及び透過させると共に、第１の光学素子１２の反射面で反射された照準光源１５からの照準光を反射又は透過させる反射面を有して構成されている。そのために、本実施形態における第２の光学素子１３は、被写体領域からの入射光の光路（図９において符号Ｌ１参照）及び第１の光学素子１２の反射面で反射された照準光源１５の照準光の光路（図９において符号Ｌ３，Ｌ１参照）に対して例えば角度略４５度〜６０度だけ傾けて、当該光路上に配置されている。また、本実施形態においては、第２の光学素子１３は、筐体部１０Ｂの内部において、Ｚ軸方向に第１の光学素子１２と第２の光学素子１３との間の領域に配設されている。そして、第２の光学素子１３の反射面は、前面に設けられている第１の光学素子１２の反射面を向くように、かつ上面開口１０ａに向くように配置されている。なお、第２の光学素子１３は、第２保持枠２３によって保持されて、筐体部１０Ｂの固定部に固定されている。
【００９１】
また、筐体部１０Ｂの内部において、底面側の所定の領域には、電池収納室１０ｄが形成されている。この電池収納室１０ｄに収納される電源電池１７を挿脱するために、筐体部１０Ｂの底面部の一部領域は、電池蓋１０ｅとして着脱自在に形成されている。この電池蓋１０ｅは、例えば、図９において、Ｚ軸に沿う方向にスライド移動することで、着脱し得るように構成されている。また、当該電池蓋１０ｅが筐体部１０Ｂの底面側の所定の部位に配置された時、即ち電池蓋１０ｅが電池収納室１０ｄを覆う位置に配置された時、当該電池蓋１０ｅは、筐体部１０Ｂの底面に対してスライド移動が規制されたロック状態となるように、電池蓋ロック機構が設けられている。この電池蓋ロック機構の詳細は図示を省略し、また構成の詳細説明も省略するが、従来一般的な撮像装置等の電子機器において一般に適用されている形態のものが適用されているものとする。
【００９２】
図９は、上記電池収納室１０ｄに電源電池１７が装填された状態を示している。この状態においては、電源電池１７は、電池収納室１０ｄの周縁部に配設される金属製の押圧バネ部材２０による側面からの付勢力を受けている。ここで、押圧バネ部材２０の付勢力は、電池挿入方向（Ｙ軸に沿う方向）に対して直交する方向（Ｚ軸に沿う方向）への付勢力である。これにより、電源電池１７の側面が押圧バネ部材２０に当接しこれを付勢している。つまり、電池収納室１０ｄ内部に電源電池１７が装填されたときには、上記押圧バネ部材２０が電源電池１７を常に押圧しており、当該押圧バネ部材２０は常にチャージ状態にある。
【００９３】
このように構成される本実施形態の光学照準器１Ｂにおいても、上述の各実施形態と同様に使用することができる。さらに、本実施形態の光学照準器１Ｂにおいては、スライドカバー部材１１を図９に示す開位置（実線）に配置して上面開口１０ａから第２光学素子１３の反射面を覗く第１の使用形態（図９の符号２００Ａ参照）と、スライドカバー部材１１を図９に示す閉位置（二点鎖線）に配置して上面開口１０ａを閉状態とし、背面開口１０ｃから第２光学素子１３を覗く第２の使用形態（図９の符号２００Ｂ参照）との二つの使用形態を選択して照準を行うことができる。
【００９４】
以上説明したように、上記第３の実施形態によれば、上記各実施形態によって得られる効果を同様の効果を得ることができる。さらに、本実施形態においては、１つの機器において、複数（２つ）の使用形態を実現して、使用者（ユーザ）が所望の使用形態を使用状況や使用環境に応じて選択することができるようにしたので、使用者（ユーザ）は常に楽な姿勢で正確な照準を行うことができる。
【００９５】
［第４の実施形態］
次に、本発明の第４の実施形態の光学照準器について、以下に説明する。図１０〜図１２は、本実施形態を示す図である。このうち、図１０は、本実施形態の光学照準器の非使用時の形態（カバー閉状態）における全体構成を示す外観斜視図である。図１１は、本実施形態の光学照準器を使用時の形態（カバー開状態）として撮像装置（使用機器）に取り付けた状態を示す外観斜視図である。図１２は、本実施形態の光学照準器の主要な内部構成物の配置を概念的に示し、右側面から見たようすを示している。この図１２において、上側カバー部材４１が閉位置にある非使用形態を実線で示し、上側カバー部材４１が開位置にある使用形態を二点鎖線で示している。
【００９６】
まず、本実施形態の光学照準器１Ｃを取り付けて使用する使用機器としての撮像装置１００の構成を簡単に説明する。
【００９７】
撮像装置１００は、図１１に示すように、箱型形状を有するボディ１０１と、筒型形状を有するレンズ鏡筒１０２とによって構成される。ボディ１０１の上面には、図示されていないが、例えば撮像モードダイヤル，シャッターリリースボタン，電源オンオフボタン等の複数の操作部材が設けられている。また、ボディ１０１の上面の略中央部分には、各種のアクセサリ機器、例えば本実施形態の光学照準器１Ｃや汎用の閃光発光装置等を着脱可能とするアクセサリシュー１０４が配設されている。そして、ボディ１０１の背面には、例えば各種設定等を行なうダイヤル等を含む複数の操作部材（不図示）が設けられているほか、撮像動作時はライブビュー画像を表示にする。撮像済み画像を表示する表示装置１０５が、その表示面を背面外方に向けて配設されている。なお、ボディ１０１の前面にはマウント部１０３が設けられている。このマウント部１０３は、レンズ鏡筒１０２を当該ボディ１０１の前面に対し着脱自在に配設するための取り付け機構である。
【００９８】
レンズ鏡筒１０２は、上記マウント部１０３を介してボディ１０１の前面に取り付けられて、当該ボディ１０１の前方に向けて突出するように配設される。レンズ鏡筒１０２は、複数の光学レンズからなる撮像光学系１０２ａと、これら複数の光学レンズをそれぞれ保持する複数の筒部材１０２ｂと、これら複数の筒部材１０２ｂの一部を上記撮像光学系１０２ａの光軸Ｏに沿う方向に進退駆動するために内部に配設される駆動機構（不図示）等によって構成されている。なお、図面において、符号Ｏで示す直線は、レンズ鏡筒１０２における撮像光学系１０２ａの光軸を示している。
【００９９】
このレンズ鏡筒１０２の構成としては、上述した形態のもの、即ちマウント部１０３を介してボディ１０１の前面に着脱自在とする形態のものであって、いわゆるレンズ交換式撮像装置に対応する交換レンズ鏡筒のほかにも、ボディ１０１の前面に固設される形態のものであって、いわゆるレンズ固定式撮像装置に応じた構成のレンズ鏡筒であってもよい。
【０１００】
アクセサリシュー１０４は、断面がチャンネル形状に形成される一対の保持部のそれぞれを、互いに対向するように配置した形態で、光学照準器１Ｃやその他の外部機器に共通形態で設けられる接続嵌合部１８が嵌合され、これを保持し得るように構成される取り付け部位である。アクセサリシュー１０４は、主に導電性の金属部材を用いて形成されている。
【０１０１】
また、上記撮像装置１００の上面においては、上記アクセサリシュー１０４の一対の保持部によって囲まれる部位に、複数の電気接点（不図示）が設けられる構成としてもよい。これらの複数の電気接点は、ボディ１０１の内部に設けられる電気回路（不図示）に接続されている。また、これら複数の電気接点は、当該撮像装置１００に上記光学照準器１Ｃが取り付けられた状態となったとき、つまりアクセサリシュー１０４に接続嵌合部１８が嵌合配置されたとき、光学照準器１Ｃ側の接点（不図示）が接触する位置に配置されている。したがって、撮像装置１００側の複数の電気接点と光学照準器１Ｃ側の接点とは、撮像装置１００と光学照準器１Ｃとを電気的に接続して、例えばボディ１０１側から光学照準器１Ｃ側へと電力を供給したり、光学照準器１Ｃ側の内部構成ユニット（例えば照準光源１５；後述）の動作状態をボディ１０１側の制御部（不図示）へと伝達する等の信号通信を行う手段として機能するように構成される。その他、撮像装置１００としての構成は、従来一般的に実用化されている撮像装置と略同様である。
【０１０２】
本実施形態の光学照準器１Ｃは、上述のように構成される既存の撮像装置１００（所望の使用機器）のアクセサリ取付部であるアクセサリシュー１０４に取り付けて、所定の調整を適正に行った後に、実際の使用に供することができる。
【０１０３】
次に、本実施形態の光学照準器１Ｃの構成について、主に図１０〜図１２を用いて以下に説明する。
【０１０４】
本実施形態の光学照準器１Ｃは、上側カバー部材４１及び本体筐体部４２とからなる外装部材と、リンク機構４３と、上記本体筐体部４２の内部に配設される各種構成ユニット（詳細後述）と、当該光学照準器１Ｃを上記使用機器の取付部（アクセサリシュー１０４）に装着するための接続機構（１８，１９）等によって構成されている。
【０１０５】
上記外装部材を構成する上側カバー部材４１及び本体筐体部４２は、いずれも一面に開口を有する筐体形状からなり、両者（４１，４２）が双方の開口（４１ｘ，４２ｘ）を互いに被覆し合うように嵌合されることによって、両者（４１，４２）が一体となることで、内部に所定の空間を有する一つの筐体が形成されるように構成されている。
【０１０６】
また、上側カバー部材４１と本体筐体部４２とは、リンク機構４３によって連結されている。このリンク機構４３は、上側カバー部材４１と本体筐体部４２とを連結し、各開口４１ｘ，４２ｘを開閉自在とする部材であって、上側カバー部材４１を本体筐体部４２に対し所定の範囲内（後述する非使用時の閉位置と使用時の開位置との間）において移動させるものである。なお、このリンク機構４３の詳細構成は後述する。
【０１０７】
したがって、本実施形態の光学照準器１Ｃは、上記リンク機構４３が作用することによって、図１０に示す非使用時の形態（カバー閉状態）と、図１１に示す使用時の形態（カバー開状態）との二態様に変位し得るように構成されている。
【０１０８】
ここで、図１０に示す非使用時の形態は、上側カバー部材４１が本体筐体部４２の上面側の開口４２ｘの全体を覆い隠した状態である。この状態にあるとき、本体筐体部４２の内部に収納されている各種の構成ユニットは、上側カバー部材４１によって被覆された状態となる。なお、このときの上側カバー部材４１の位置を非使用時の閉位置というものとし、同状態をカバー閉状態というものとする。この状態においては、上側カバー部材４１と本体筐体部４２とは略一体となっており、両者（４１，４２）は内部に所定の空間を有する一つの筐体を構成している。このとき、リンク機構４３は倒置した状態となって、当該筐体の空間内部に収納されている。したがって、この状態にあるときの光学照準器１Ｃの形態を非使用時の形態という。
【０１０９】
一方、図１１に示す使用時の形態は、本体筐体部４２の上面側の開口４２ｘから離間した位置に、リンク機構４３を介して上側カバー部材４１が配置された状態である。この状態にあるとき、上側カバー部材４１は、本体筐体部４２の上面側を覆っている。これと同時に、上側カバー部材４１は、本体筐体部４２の内部に収納されている構成ユニットのうち照準光源１５から発散される照準光の光路及び前方にある被写体若しくは照準対象とする対象物を含む領域（即ち被写体領域若しくは照準対象領域。以下の説明では単に被写体領域等というものとする）からの入射光の光路に沿う方向に延びる光路開口４０（詳細後述。図１０参照）を上記本体筐体部４２との間に形成している。このときの上側カバー部材４１の位置を使用時の開位置というものとし、同状態をカバー開状態というものとする。この状態においては、上側カバー部材４１と本体筐体部４２とは、起立した状態のリンク機構４３を介して連結されており、上側カバー部材４１が本体筐体部４２に対して離間した位置に配置されている。したがって、この状態にあるときの光学照準器１Ｃの形態を使用時の形態という。なお、上記上側カバー部材４１の非使用時の閉位置と使用時の開位置とは、それぞれの位置で保持されるように構成されている。
【０１１０】
上側カバー部材４１は、上述したように、一面に開口４１ｘを有する筐体として、例えば樹脂成形等によって形成されたカバー部材である。上側カバー部材４１は、開口４１ｘに対向する位置の閉塞部をなし上側カバー部材４１の主に上面側を覆う面となる天面部４１ａと、開口４１ｘを囲うように天面部４１ａの周縁から起立する複数の壁面、即ち右側壁４１ｂ，左側壁４１ｃ，前面壁４１ｄ，背面壁４１ｅとによって形成される。
【０１１１】
これら複数の壁面のうち右側壁４１ｂ及び左側壁４１ｃは、上側カバー部材４１の主に左右両側面を覆う面である。右側壁４１ｂ及び左側壁４１ｃは、Ｚ軸に沿う背面寄りの一部領域４１ｂｂが、それ以外の領域４１ｂａに対して切り欠かれた形態となっている。これにより、当該上側カバー部材４１が開位置となったとき、光路開口４０に沿う方向において背面寄りの両側方の開口視野が確保されるように形成している。
【０１１２】
また、前面壁４１ｄは、上側カバー部材４１の主に前面側を覆う面である。この前面壁４１ｄには、当該上側カバー部材４１が開位置となったとき、光路開口４０に沿う方向において前面側上方の開口視野を確保するために前面壁４１ｄの一部が切り欠かれた切欠４１ｄａが形成されている。そして、背面壁４１ｅは、上側カバー部材４１の主に背面側を覆う面である。この背面壁４１ｅにも、上記前面壁４１ｄと同様に、当該上側カバー部材４１が開位置となったとき、光路開口４０に沿う方向において背面側上方の開口視野を確保するために背面壁４１ｅの一部が切り欠かれた切欠（不図示）が形成されている。
【０１１３】
さらに、上側カバー部材４１の天面部４１ａには、後述するように本体筐体部４２の内部に所定の形態で配置される第２の光学素子１３の反射面に対向する部位に形成され、当該第２の光学素子１３の反射面を覗き得るようにした覗き窓となる貫通した開口である上面開口１０ａが形成されている。
【０１１４】
上記上面開口１０ａは、スライドカバー部材１１によって開閉されるように構成されている。つまり、スライドカバー部材１１は上面開口１０ａを閉状態として内部構成物を保護する閉位置と、上面開口１０ａを開状態として当該上面開口１０ａから第２の光学素子１３の反射面を視認し得る状態とする開位置との間でスライド移動可能に構成されている。なお、このスライドカバー部材１１の構成については、上述の第１の実施形態で適用したものと同様のものが適用されているものとし、その詳細説明は省略する。
【０１１５】
本体筐体部４２は、上述したように、一面に開口４２ｘを有する筐体として、例えば樹脂成形等によって形成されている。本体筐体部４２は、開口４２ｘに対向する位置の閉塞部をなし本体筐体部４２の主に底面側を覆う面となる底面部と、開口４２ｘを囲うように底面部の周縁から起立する複数の壁面（左右両側壁，前面壁，背面壁）とによって形成される。
【０１１６】
なお、本体筐体部４２に対して上側カバー部材４１が非使用時の閉位置に配設された状態では、上側カバー部材４１の開口４１ｘは、本体筐体部４２の開口４２ｘに対向配置されて、上側カバー部材４１は本体筐体部４２の開口４２ｘを完全に被覆する。このとき、上側カバー部材４１の外表面と、本体筐体部４２の外表面とは、全体的に略面一となるように構成されている（図１０参照）。
【０１１７】
また、本体筐体部４２に対して上側カバー部材４１が開位置に配設された状態では、上述したように、上側カバー部材４１は本体筐体部４２の開口４２ｘから離間した位置で同開口４２ｘの上面側を覆っている。このとき、上側カバー部材４１と本体筐体部４２との間には、照準光源１５から発散される照準光の光路に沿う光路開口４０が形成される。この場合において、本体筐体部４２の前面壁には、当該光路開口４０に沿う方向において前面側下方及びその両側方の開口視野を確保するために、前面壁の一部が切り欠かれて前面切欠４２ｅが形成されている。ここで、前面壁は厚みを有しており、上記前面切欠４２ｅ、さらに前面下方及び前面両側方に向けて広くなるような傾斜面を有して開口している。
【０１１８】
本体筐体部４２の外面側には、複数の操作部材が配設されている。これら複数の操作部材は、本体筐体部４２の内部に収納されている各構成ユニットに連動するものである。例えば、本体筐体部４２の右側面における前面寄りの部位には、照準光源の照度を調整するための照度調整部（不図示）に含まれる電源オンオフ兼照度調整ダイヤル２４がＸ軸周りに回動自在に配設されている。また、本体筐体部４２の右側面における背面寄りの部位には、照準光源１５から発散される照準光の方向の調整を行うための照準光源調整機構（不図示）に含まれるＸ軸方向調整ダイヤル５１ｘがＸ軸周りに回動自在に配設されている。さらに、その他の操作部材としては、照準光源調整機構のＹ軸方向調整ダイヤルや上側カバー部材４１の閉位置ロック状態を解除する上側カバー開レバー等（いずれも不図示）がそれぞれ所定の位置に所定の形態で配設されている。
【０１１９】
本体筐体部４２の底面側には、当該光学照準器１Ｃを使用する使用機器（撮像装置１００；図１１参照）の取付部（アクセサリシュー１０４等）に当該光学照準器１Ｃを接続固定するための接続機構が配設されている。この接続機構は、上記撮像装置１００（使用機器）のアクセサリシュー１０４に接続固定するための接続嵌合部１８と、この接続嵌合部１８を撮像装置１００のアクセサリシュー１０４に固定するための締結リング１９と、当該光学照準器１Ｃと撮像装置１００との電気的な接続を確保するための電気接点（不図示）等によって構成されている。なお、この接続機構は、従来一般に普及している撮像装置等のアクセサリシューに対応する汎用的な機構が適用されているものとする。したがって、その詳細構成は省略する。
【０１２０】
本体筐体部４２の内部には、本実施形態の光学照準器１Ｃを構成する各種構成ユニットが収納配置されている。例えば、図１２に示すように、第１保持枠２２に保持される第１の光学素子１２と、第２保持枠２３に保持される第２の光学素子１３と、照準光源１５と、リンク機構４３等のほか、図示を省略しているが照準光源調整機構，電源部，照度調整部等の各種構成部材が、それぞれ所定の部位に所定の形態で収納配置されている。このうち、第１の光学素子１２及び第１保持枠２２と、第２の光学素子１３及び第２保持枠２３と、照準光源１５とは、本実施形態の光学照準器１Ｃを構成する主たる構成部材である。本実施形態の光学照準器１Ｃは、一般にドットサイトと称されている形態を有するものである。
【０１２１】
第１の光学素子１２は、第１保持枠２２に保持されて、本体筐体部４２の内部において光路開口４０の前面寄りの部位に配設されている。そして、第１保持枠２２は、非使用時の倒置形態と使用時の起立形態との間で姿勢変位し得るように構成されている。
【０１２２】
即ち、第１の光学素子１２を保持する第１保持枠２２は、図１１，図１２（二点鎖線）に示す使用時の形態とされた時、光路開口４０の方向（Ｚ軸に沿う方向）に対して略直交する方向に起立した形態に配設される。このとき、第１の光学素子１２は、被写体領域等からの入射光を透過させると共に、上記照準光源１５から発散される光束を被写体領域に対向する前面側とは相反する背面側に向けて反射するように構成されている。つまり、第１の光学素子１２は、使用時の形態にある時、反射面を背面側に向けて配設されている。また、この状態において、照準光源１５は、底面側に設けられていることから、この照準光源１５からの発散光を背面側へ反射させるために、第１の光学素子１２の反射面は、照準光源１５の光路を考慮して照準光源１５側に所定の角度で傾けて配置されている。
【０１２３】
本実施形態において第１の光学素子１２は、例えば放物面形状もしくは放物面に近似した凹曲面状の反射面を有し、例えば透明なガラス若しくは透明樹脂材料によって形成される光学部材である。そして、この第１の光学素子１２の反射面は、可視光波長域のうちの特定の波長域の光、例えば赤色光のみを反射する一方、上記特定の波長域の光以外の他の波長域の光を透過する誘電多層膜等が設けられたダイクロイックミラー若しくはハーフミラー等が適用されている。
【０１２４】
また、上記第１保持枠２２は、当該光学照準器１Ｃが図１０，図１２（実線）に示す非使用時の形態とされた時には、光路開口４０の方向（Ｚ軸に沿う方向）に対して所定の角度の傾きをもって傾倒する形態となるように配設される。この非使用時の倒置形態においては、第１の光学素子１２も同様に、使用時の形態に対して傾倒した形態とされて、上側カバー部材４１及び本体筐体部４２によって形成される筐体内部に完全に収納された状態となる。
【０１２５】
なお、このとき、第１保持枠２２の傾倒角度と第１の光学素子１２の傾倒角度とを異なる角度でそれぞれを別個に傾倒させるようにしてもよい。図１２に示す例では、第１保持枠２２の傾倒角度に比べて、第１の光学素子１２の傾倒角度を若干大きく設定した例を示している。このようにすれば、上側カバー部材４１の非使用時の位置を低い位置に設定することができる。したがって、当該光学照準器１Ｃの非使用時の形態の大きさをさらに小型化することができる。
【０１２６】
第２の光学素子１３は、第２保持枠２３に保持されて、本体筐体部４２の内部において光路開口４０の中程の部位であって、上記第１の光学素子１２と上記照準光源１５との間の所定の部位に配設されている。そして、第２保持枠２３も、上記第１保持枠２２と同様に、非使用時の倒置形態と使用時の起立形態との間で姿勢変位し得るように構成されている。また、本実施形態において第２の光学素子１３は、上記第１の光学素子１２と同様構成からなる光学素子である。
【０１２７】
なお、第２の光学素子１３を保持する第２保持枠２３においては、当該光学照準器１Ｃが図１２（実線）に示す非使用時の形態とされた時、光路開口４０の方向（Ｚ軸に沿う方向）に対して略直交する方向に起立した形態となるように配設される。このとき、第２の光学素子１３は、被写体領域等からの入射光及び上記照準光源１５から発散され上記第１の光学素子１２によって背面側に反射した光束の一部を、後述する上面開口１０ａの側に向けて反射させると共に、同光束の他の一部を光路開口４０の背面側に向けて透過させるように構成されている。つまり、第２の光学素子１３は、使用時の形態にある時、反射面は前面側及び上面側に向けて配設されている。
【０１２８】
また、上記第２保持枠２３は、当該光学照準器１Ｃが図１２（実線）に示す非使用時の形態とされた時には、光路開口４０の方向（Ｚ軸に沿う方向）に対して所定の角度の傾きをもって傾倒した形態に配設される。この非使用時の倒置形態においては、第２の光学素子１３も同様に、使用時の形態よりも傾倒した形態となり、その表面がＺ軸に沿う方向に傾倒された状態となって、上側カバー部材４１及び本体筐体部４２によって形成される筐体内部において完全に収納される。なお、第２の光学素子１３は、非使用時の形態としては、図１２の点線で示すが如く、さらに傾倒させることにより、本体筐体部４２の底面部に形成された凹形状の凹状収納部位４２ａに収納配置されるように構成してもよい。
【０１２９】
照準光源１５は、第１の光学素子１２の反射面に向けて照準光を発散させる光源と、この光源を駆動する電子回路等を含んで構成される構成ユニットである。この照準光源１５は照準光源調整機構（不図示）によって照準光の上下方向を調整できるように構成されている。
【０１３０】
照準光源１５は、本体筐体部４２の内部において背面寄りの部位に配設されている。照準光源１５の光源としては、点状の光源を発光する発光部材、例えば赤色光を発光する発光ダイオード（ＬＥＤ）等が適用されている。
【０１３１】
なお、照準光源１５の光源形状の形態としては、点形状のほか、十字形マーク，丸印，二重丸印，十字と丸とを重畳させたマーク，目盛形状等、各種の形態のものが考えられ、さらに、これら複数のマークを切り換え選択可能とするような形態としてもよい。
【０１３２】
そして、照準光源１５は、当該光学照準器１Ｃが使用時の形態とされて、第１保持枠２２及び第２保持枠２３が起立形態となったときに、第１の光学素子１２の反射面に向けて照準光を発散させるように構成されている。
【０１３３】
このとき、照準光源１５は、第２の光学素子１３よりも背面寄りの部位に配設されており、上記第１の光学素子１２は、第２の光学素子１３よりも前面側に配設されている。したがって、照準光源１５から発散される照準光が、第２の光学素子１３の第２保持枠２３によって阻害されてしまう可能性がある。そこで、照準光源１５からの照準光が、第２保持枠２３によって阻害されること無く、確実に第１の光学素子１２の反射面へと到達し得るようにするために、上記第２保持枠２３には、照準光の光路を確保するための貫通穴２３ａが形成されている。なお、貫通穴２３ａは照準光の光路を妨げない構成となっておればよく、穴形状に代えて第２保持枠２３の一部を切り欠いた形態であってもよい。
【０１３４】
本実施形態の光学照準器１Ｃにおいては、上述したように、第１の光学素子１２の反射面は、例えばダイクロイックミラー等によって形成されている。したがって、第１の光学素子１２の反射面は、照準光源１５から発散される照準光の波長に含まれる所定の波長帯域の光を反射する一方、その他の波長帯域の光を透過させる。
【０１３５】
ここで、本実施形態の光学照準器１Ｃにおける照準光源１５として、例えば赤色光を発光する発光ダイオード（ＬＥＤ）が適用されているものとする。この場合、第１の光学素子１２の反射面は、照準光源１５から発散される赤色の波長帯域を反射する一方、同第１の光学素子１２は、青色及び緑色の波長帯域の光を透過させることになる。
【０１３６】
したがって、これにより、当該光学照準器１Ｃの使用状態において、使用者（ユーザ）が上記光路開口４０の背面側から覗いて前方を見た時、第１の光学素子１２を介して透過観察し得る前方視野像に、照準光源１５から発散されて第１の光学素子１２の反射面によって反射された光点が重畳された形態の像を視認することができる。
【０１３７】
電源部は、電源電池等を含み、当該電源電池の電力を照準光源１５の駆動電力として供給制御する電気回路等によって構成される。なお、本実施形態において、当該電源部については、その図示を省略しているが、その電源部の配置としては、例えば本体筐体部４２の内部において底面側等の空間に配設されるようにすればよい。
【０１３８】
または、光学照準器１Ｃが電源部を具備しない構成とすることも可能である。その場合の構成としては、例えば当該光学照準器１Ｃと撮像装置１００（使用機器）とを接続した状態で、接続嵌合部１８及びアクセサリシュー１０４を介して電気的な接続を確保することにより、撮像装置１００（使用機器）側から当該光学照準器１Ｃ側への電力供給を行い得るような構成とすればよい。
【０１３９】
また、照準光源１５の前方には、上記第１の実施形態と同様に、コリメーターレンズを配設する構成としてもよい。
【０１４０】
照準光源調整機構（不図示）は、照準光源１５から発散される照準光の方向の調整を行うための構成ユニットである。具体的には、この照準光源調整機構は、例えば照準光の光点の第１の光学素子１２の反射面上におけるＸ軸方向及びＹ軸方向の位置を調整するものである。この照準光源調整機構については本発明の要旨に直接関連しない部分であるので、その図示及び詳細説明は省略する。
【０１４１】
照度調整部は、照準光源１５から発散される照準光の光量を調整ための光量調整機構である。なお、照度調整部は、照準光源１５からの照準光のオンオフ切り換えを行う切り換え機構も兼ねている。この照度調整部も本発明の要旨に直接関連しない部分であるので、その図示及び詳細説明は省略する。
【０１４２】
ここで、第１保持枠２２及び第２保持枠２３を起立形態及び倒置形態との間で変位させるための光学素子起倒機構５２の構成及び作用を、図１２，図１３を用いて以下に説明する。
【０１４３】
光学素子起倒機構５２は、図１２に示すように、操作レバー４４と、この操作レバー４４に連動するリンク機構によって構成される。
【０１４４】
操作レバー４４は、本体筐体部４２の内部の底面側において、Ｚ軸に沿う方向において、図１２の符号Ｓ１で示す位置と符号Ｓ２で示す位置との間で移動可能に配設されている。この場合において、操作レバー４４のツマミ部は本体筐体部４２の外面に露呈して、使用者（ユーザ）が手指を用いてスライド操作し得るように配設されている。なお、操作レバー４４の詳細な構成は、図示を省略しているが、一般的に用いられるスライド式の操作部材と同様のものが用いられる。
【０１４５】
本体筐体部４２の内部において、操作レバー４４には光学素子起倒機構５２を構成する構成要素が連結配置されている。光学素子起倒機構５２の構成要素は、第１リンク５２ａ，第２リンク５２ｂ，第３リンク５２ｃ及び緊縮性のコイルばね等からなる付勢部材４６等がある。
【０１４６】
第１リンク５２ａは、一端が操作レバー４４に連結され、他端が第２リンク５２ｂの一端に連結されている。そして、第１リンク５２ａの中程の固定部（符号Ｆ１で示す部位）には、上記第１の光学素子１２を保持する第１保持枠２２の脚部の一部位が固定されている。
【０１４７】
ここで、第１保持枠２２は、基端側に脚部を有し他端側に額縁状の光学素子保持部を有して形成されている。第１保持枠２２の脚部の基端部は、本体筐体部４２の固定部に対してＸ軸に沿う方向に軸中心を有する支軸Ｄ１周りに回動自在に軸支されている。
【０１４８】
したがって、操作レバー４４がＺ軸に沿う方向にスライド操作されると、上記第１リンク５２ａも同方向にスライド移動する。すると、当該第１リンク５２ａの中程の固定部（符号Ｆ１）にて固定されている第１保持枠２２の脚部に力量が加わる。このとき、第１リンク５２ａはＺ軸に沿う方向にのみスライド移動する一方、第１保持枠２２は支軸Ｄ１周りに回動する。したがって、このことから第１リンク５２ａがＺ軸に沿う方向にスライド移動すると、この第１リンク５２ａの中程の固定部（符号Ｆ１）で固定される第１保持枠２２の脚部は、上記支軸Ｄ１を回転軸として図１２において反時計回りに回動させられて、非使用時の傾倒した倒置形態（図１２の実線参照）から使用時の起立形態（図１２の二点鎖線参照）へと変位する。
【０１４９】
起立形態となった第１保持枠２２は、上側カバー部材４１の上面から内部に向けて突設して形成される突状係止部４１ｃに固定されることで、第１保持枠２２のそれ以上の回動が規制され、同第１保持枠２２の起立形態が維持されるように構成されている。
【０１５０】
上記第１リンク５２ａの他端には、上述したように第２リンク５２ｂの一端が連結されており、さらに、この第２リンク５２ｂの他端には第３リンク５２ｃの一端が連結されている。そして、この第３リンク５２ｃの他端は、上記付勢部材４６を介して本体筐体部４２の固定部位４２ｄに固設されている。
【０１５１】
第２リンク５２ｂは、第１リンク５２ａと第３リンク５２ｃとを連結するための中間リンクとして機能している。
【０１５２】
第３リンク５２ｃは、一端が第２リンク５２ｂに連結され、他端が付勢部材４６の一端に連結されている。そして、第３リンク５２ｃの中程の固定部（符号Ｆ２で示す部位）には、上記第２の光学素子１３を保持する第２保持枠２３の脚部が固定されている。
【０１５３】
ここで、第２保持枠２３は、上述の第１保持枠２２と略同様に、基端側に脚部を有し他端側に額縁状の光学素子保持部を有して形成されている。第２保持枠２３の脚部の基端部は、本体筐体部４２の固定部に対してＸ軸に沿う方向に軸中心を有する支軸Ｄ２周りに回動自在に軸支されている。
【０１５４】
したがって、操作レバー４４がＺ軸に沿う方向にスライド操作されると、上記第１リンク５２ａ及び第２リンク５２ｂを介して第３リンク５２ｃも同方向にスライド移動する。これにより、当該第３リンク５２ｃの中程の固定部（符号Ｆ２）にて固定されている第２保持枠２３の脚部に力量が加わる。このとき、第３リンク５２ｃはＺ軸に沿う方向にのみスライド移動する一方、第２保持枠２３は支軸Ｄ２周りに回動する。したがって、このことから第３リンク５２ｃがＺ軸に沿う方向にスライド移動すると、第３リンク５２ｃの中程の固定部（符号Ｆ２）にて固定されている第２保持枠２３の脚部は、上記支軸Ｄ２を回転軸として図１２において反時計回りに回動させられて、非使用時の傾倒した倒置形態（図１２の実線参照）から使用時の起立形態（図１２の二点鎖線参照）へと変位する。
【０１５５】
起立形態となった第２保持枠２３は、第２光学素子１３を所定の形態に保持した状態を維持するように構成されている。なお、第２光学素子１３の所定の形態とは、例えば被写体領域からの入射光の光路及び第１の光学素子１２の反射面で反射された照準光源１５の照準光の光路に対して角度略４５度〜６０度傾けた状態である。
【０１５６】
また、第２保持枠２３が非使用時の傾倒した倒置形態（図１２の実線参照）とされたときには、本体筐体部４２の内部において、底面から内部に向けて突設して形成される突状係止部４２ｃに当接することで、第２保持枠２３の収納方向へのそれ以上の回動が規制され、同第２保持枠２３の倒置形態が維持されるように構成されている。
【０１５７】
上記第３リンク５２ｃの他端には、上述したように付勢部材４６の一端が連結されており、当該付勢部材４６の他端は本体筐体部４２の固定部位４２ｄに固設されている。
【０１５８】
なお、操作レバー４４は、図１２の符号Ｓ１で示す位置と符号Ｓ２で示す位置との各位置で位置決めされて、その位置が維持され得るように構成されている。
【０１５９】
そのための位置決め維持機構として、例えば一般的なクリック機構４５が適用されている。即ち、図１２に示すように、このクリック機構４５は、ボール４５ａと、圧縮バネ４５ｂと、バネ支持板４５ｃとを有して構成され、これに応じて操作レバー４４側には、Ｚ軸方向に所定の距離を有して離間した部位に２つの凹部４２ｂが形成されている。
【０１６０】
本体筐体部４２の固定部位に固定されたバネ支持板４５ｃ上に圧縮バネ４５ｂが緊縮状態で配置され、この圧縮バネ４５ｂの先端部位にボール４５ａが配設される。ボール４５ａの配設部位に対向する部位を操作レバー４４がスライド移動可能に配設される。このとき、上記２つの凹部４２ｂがボール４５ａの配置部位を通るように、操作レバー４４のスライド移動位置を設定する。このような構成により、操作レバー４４がスライド移動すると、規程の位置にてボール４５ａが２つの凹部４２ｂの一方に嵌まり込み、その状態になるとボール４５ａは、圧縮バネ４５ｂによって押圧されるので、ボール４５ａは当該凹部４２ｂから脱出しにくい状況になる。これにより、操作レバー４４は規程の位置にて位置決めされ、その位置が維持されることになる。
【０１６１】
この状態において、操作レバー４４に対して、圧縮バネ４５ｂの付勢力に抗する程度の強めの力量を加えると、ボール４５ａの転がり力が圧縮バネ４５ｂの付勢力に抗してこれを押し戻し、その結果、ボール４５ａは当該凹部４２ｂから脱出することができる。したがって、操作レバー４４は再びスライド移動自在となる。そして、操作レバー４４を移動させると、ボール４５ａは、他方の凹部４２ｂに嵌まり込み、同様の作用により、操作レバー４４の位置決めがなされる。
【０１６２】
そして、上述したように、上記操作レバー４４は、第１リンク５２ａ，第２リンク５２ｂ，第３リンク５２ｃを介して付勢部材４６によって常に引っ張り方向に付勢されている。したがって、使用者（ユーザ）は、付勢部材４６の付勢力に抗して操作レバー４４をＺ軸に沿う方向に、図１２の符号Ｓ１で示す位置から符号Ｓ２で示す位置へとスライド移動させることによって、第１保持枠２２及び第２保持枠２３を同時に倒置形態から起立形態へと変位させることができる。そして、図１２の符号Ｓ１又は符号Ｓ２で示す各位置においては、上述したように、クリック機構４５の作用によって位置決めがなされ、各構成部材は各対応する規程の形態を維持するように構成されている。
【０１６３】
次に、リンク機構４３の構成と作用を以下に説明する。リンク機構４３は、上側カバー部材４１と本体筐体部４２とを連結し、上側カバー部材４１を本体筐体部４２に対して使用時の開位置と非使用時の閉位置との間で変位させるための機構ユニットである。
【０１６４】
なお、リンク機構４３は、上述の光学素子起倒機構５２による操作レバー４４のスライド操作に応じて連動するように構成してもよい（不図示）。この場合には、後述するように、上記光学素子起倒機構５２における操作レバー４４の移動方向に応じた作用と、リンク機構４３における力点（後述する駆動ピンＢ１）の移動方向に応じた作用とが、逆方向となる。つまり、操作レバー４４の一方向の移動方向で各光学素子が起立する（非使用形態から使用形態に変位する）のに対して、リンク機構４３の力点を同じ方向に移動させると、上側カバー部材が使用位置から非使用位置へ変位することになる。そのために、操作レバー４４のスライド操作をリンク機構４３へと伝達する際に、移動方向を反転させるための工夫として、例えば固定支点とレバー等の機構を介在させる必要がある。そのような構成の工夫により、上記光学素子起倒機構５２と上記リンク機構４３とを連動させて、１つの操作レバー４４の操作によって、２つの光学素子の起倒作用と、上側カバー部材の上下移動作用とを同時に行い得る構成とすることは可能である。
【０１６５】
また、光学素子起倒機構５２による上記２つの保持枠（２２，２３）の起倒作用とは別に上記リンク機構４３を独立した形態で作用させるように構成してもよい。また、これらの作用に連動させて、さらにスライドカバー部材１１の開閉を行い得るように構成することも可能である。上記リンク機構４３に連動するリンク機構として、例えば、入力リンク、固定リンク、中間リンク等の３つ以上のリンクが順次回転可能に連結されて成る自由度を１に制限する自由度制限機構で、入力リンクに対し固定リンクとの連結周りの回転駆動力を与えるアクチュエータの五節リンクまたは平行リンク等の多数節リンク機構を介在させて構成するようにしてもよい。
【０１６６】
本実施形態におけるリンク機構４３は、直線運動の入力に対して略直角方向への直線運動に変換するいわゆるスコットラッセルリンク機構を適用することにより、本体筐体部４２に対して上側カバー部材４１を使用時の開位置と非使用時の閉位置との間で変位させる構成を実現している。
【０１６７】
リンク機構４３は、図１２（実線参照）に示すように、第１リンク４８と第２リンク４９とを有して構成されている。このうち、第１リンク４８は、一端に力点となる駆動ピンＢ１を有し、他端に作用点となる従動ピンＣ１を有し、中程の部位に関節Ａ１を有している。
【０１６８】
ここで、第１リンク４８は、駆動ピンＢ１から関節Ａ１までのリンク長さと、関節Ａ１から従動ピンＣ１までの長さと、第２リンク４９のリンク長さ（関節Ａ１から支点Ｅまでのリンク長さ）とが、等しくなるように設定されている。換言すると、第１リンク４８において関節Ａ１は、第１リンク４８の中点に設置されており、かつ、第１リンク４８のリンク長さは、第２リンク４９のリンク長さの２倍となるように設定されている。
【０１６９】
第２リンク４９は、一端が位置変動しない支点Ｅを有し、他端は第１リンク４８の関節Ａ１において回動自在に連結している。つまり、第２リンク４９は、支点Ｅを回動中心として本体筐体部４２の固定部に対し回動自在に軸支されている。
【０１７０】
第１リンク４８の駆動ピンＢ１は、本体筐体部４２の底面部においてＺ軸に沿う方向に水平に延出するように形成される溝部４２ｆに移動自在に嵌合している。したがって、第１リンク４８の駆動ピンＢ１は、この溝部４２ｆの一端から他端までの範囲内で水平方向にのみ移動する。
【０１７１】
第１リンク４８の従動ピンＣ１は、上記上側カバー部材４１の固定部に固設されている。ここで、第１リンク４８の駆動ピンＢ１と第２リンク４９の支点Ｅとは、水平方向に同一直線上に配置されるように設定されている。そして、このとき駆動ピンＢ１が水平移動する溝部４２ｆの軸線も、駆動ピンＢ１と支点Ｅとを結ぶ直線上に一致するように設定されている。
【０１７２】
また、第１リンク４８の従動ピンＣ１と第２リンク４９の支点Ｅとは、Ｙ軸に沿う垂直方向に直線となるように配置されている。つまり、従動ピンＣ１と支点Ｅとを結ぶ（垂直方向の）直線は、駆動ピンＢ１と支点Ｅとを結ぶ（水平方向の）直線に対して常に直交するように設定されている。
【０１７３】
したがって、上記駆動ピンＢ１が水平移動すると、これに応じて上記従動ピンＣ１は、垂直方向に厳密な直線を描きながら移動するように構成されている。つまり、駆動ピンＢ１が図１２の符号Ｂ２で示す位置までＺ軸方向に水平移動すると、これに応じて上記従動ピンＣ１は図１２の符号Ｃ２で示す位置までＹ軸に沿う方向に垂直移動する。
【０１７４】
なお、このとき、関節Ａ１は、図１２の符号Ａ２で示す位置へ移動する。この場合において、関節Ａ１の移動軌跡は、支点Ｅを回転中心として回転する第１リンク４８の半径により描かれる円（図１２の符号Ｒで示される円）の円周となる。さらに、このときの駆動ピンの位置（符号Ｂ２で示す位置）は、上記円Ｒの円周上に位置する。
【０１７５】
なお、上記リンク機構４３は、当該光学照準器１Ｃの筐体内部において両側面のそれぞれに配設されている。
【０１７６】
以上説明したように、上記第４の実施形態によれば、上述の第３の実施形態と同様の効果を得ることができる。これに加えて、本実施形態においては、さらに、
光学照準器１Ｃの各構成部材を収納する筐体として、上側カバー部材４１と本体筐体部４２とを組み合わせ、非使用時には上側カバー部材４１が本体筐体部４２の開口を覆うことにより小型化することができる一方、非使用時には上側カバー部材４１が本体筐体部４２に対して離間した位置に移動すると共に、内部に配設される各種構成ユニットが非使用時の倒置形態から使用時の起立形態へと変位して使用に供することができる。したがって、このような構成によれば、非使用時の形態をよりコンパクトなものとすることができ、可搬性の向上や、非使用時の携帯時において内部構造の保護を確実に行うことができる。
【０１７７】
なお、上述の第４の実施形態において、背面側の覗き窓を廃し、上側カバー部材４１の上面開口１０ａからのみ視認するような形態としてもよい。その場合には、第２の光学素子１３の反射面（誘電多層膜を形成）について、例えば、赤色または緑色、青色領域において透過率０％かつ反射率１００％とする表面反射面を用いることで実現し得る。
【０１７８】
［変形例］
ところで、上述の各実施形態の光学照準器においては、照準光源を駆動するための電力を供給する電源電池及びそれに付随する電子回路等を含む電源部を本体筐体部の内部に設けて構成している。この場合において、光源照準器側の電源状態がオフ状態である場合、若しくは光源照準器側の電源電池が消耗する等によって照準光源を充分に駆動させることができない場合を識別し、その旨の状態識別がなされた場合には、使用機器（撮像装置等）側からの電力供給を受け得るような制御がなされるように構成することもできる。この場合、電源状態のオンオフ状態の識別若しくは電源電池の消耗状態の確認は、例えば光学照準器側の電源部で行ってもよいし、使用機器（撮像装置等）側の電源部若しくは制御回路等によって行ってもよい。
【０１７９】
このような形態の上記変形例によれば、光学照準器側の電源状態若しくは電源電池の消耗状態に関わらず、常に必要となる電力を光学照準器に対して供給することができ、よって所望の使用機器に取り付けた光学照準器を常に確実に使用することができる。
【０１８０】
上述の各実施形態においては、一般的な形態の撮像装置、即ち箱型形状のボディと、このボディ前面に設けられ筒型形状を有するレンズ鏡筒と、ボディ背面に設けられる表示装置等によって構成される撮像装置に対して本発明の光学照準器を装着して使用する場合を想定して説明してきた。
【０１８１】
一方、近年においては、上記従来の一般的な形態の撮像装置とは異なる形態の撮像装置が種々提案され、また実用化されている。例えば、円筒形状のボディを有し、当該円筒状ボディの前面にレンズ鏡筒を備えて構成される形態の撮像装置（以下、円筒状カメラというものとする）が実用化されている。なお、レンズ鏡筒は、円筒状ボディに固設される形態のものや、円筒状ボディに対して着脱自在とする形態のもの等、各種の形態のものがある。
【０１８２】
この種の円筒状カメラは、ボディ内部に撮像素子とその駆動制御回路や信号処理回路等を含む撮像ユニットや、外部機器との有線及び無線による通信ユニット，電源ユニット，記録媒体等を有して構成されている。一方、当該円筒状カメラには、従来形態の撮像装置において通常具備される画像表示用の表示装置を具備しておらず、ボディ内部に具備される通信回路を介して外部機器（例えばスマートフォン，タブレット型コンピュータ等）との通信を確保して、接続した外部機器側の制御用アプリケーションを用いて撮像制御を行ったり、外部機器側の表示装置を利用して画像表示を行い得るように構成されている。この場合において、当該円筒状カメラと外部機器（スマートフォン，タブレット型コンピュータ等）とは、それぞれ別体として別個に使用することもできるし、円筒状カメラと上記外部機器とを専用のアダプタを用いて一体化して使用することもできる。
【０１８３】
このような形態の円筒状カメラ（外部機器）に対しても、上記各実施形態の光学照準器を適用することは可能である。その場合においては、例えば円筒状カメラに設けられている三脚ネジ穴や複数のストラップ取付部等を利用して装着できるように形成した取付用補助具（例えば、金属製で平板、または輪帯形状にする。そして三脚ネジやストラップ取付部等を利用して光学照準器を取り付けるためのユニバーサルジョイントを介在した取付用補助具）を用意すればよい。
【０１８４】
この取付用補助具には、例えばアクセサリシューを設けることによって、上記光学照準器の装着を行うことができる。つまり、上記円筒状カメラに対しては、取付用補助具を介して光学照準器等の各種のアクセサリ機器を容易に取り付け可能となる。このことを考慮して、アクセサリシューを複数設けるようにすれば至便である。
【０１８５】
また、自撮り（自分撮り）カメラに照準器を設置する場合には、２軸（ダブルヒンジ）で回動する表示装置を有するデジタルカメラを用いる。例えば、ボディ上面にアクセサリシューが配置されており、ボディ背面に表示装置が回動自在に設けられており、その表示面がカメラの前面側に向けて配置し得るようにしたカメラにおいては、正面からみて例えば右側面に表示装置が飛び出すように配置すれば、カメラボディの下面位置にスタンドを設けることができる。即ち、この状態としたとき、ボディ上面に配置されたアクセサリシューはボディの正面から見て左側面に配置されることになる。このアクセサリシューに光学照準器を取り付ける。
【０１８６】
このような構成にすると、光学照準器は表示装置と干渉することなく取り付けることができ、かつカメラボディの小型化を維持しつつ、光学照準器を取り外す手間を省くことができる。
【０１８７】
また、上記円筒状カメラにおいては、それ単体では把持しにくい形状である。そこで、上記取付用補助具には、レンズ鏡筒を取り付けた円筒状カメラを把持しやすいようにするグリップ部を設けるようにしてもよい。このような形態とすれば、例えば大型のレンズ鏡筒を取り付けて使用するような場合には、使用感の向上に特に有効である。さらに、上記グリップ部には、例えば従来の撮像装置等に適用されているような形態の各種の操作部材、例えばシャッタレリーズボタンや撮影モード切り換えダイヤル等を設けると共に、円筒状カメラとの通信を行い得る通信回路等を設け、上記操作部材から発生する信号を送信して、各種制御や操作を行い得るように構成することも考えられる。
【０１８８】
なお、当該円筒状カメラに大型レンズ鏡筒を装着したような場合には、レンズ鏡筒に具備される三脚座等を利用した形態の取付用補助具を構成することも可能である。
【０１８９】
本発明は上述した実施形態に限定されるものではなく、発明の主旨を逸脱しない範囲内において種々の変形や応用を実施し得ることが可能であることは勿論である。即ち、本発明の照準器を取り付けて使用する機器としては、上述の実施形態で例示したレンズ交換式のカメラ（デジタルカメラ，デジタルビデオカメラ等を含む）等の撮像装置のみに限られることはなく、例えば光学レンズ及び撮像素子を用いて取得した拡大画像を表示する表示用パネル等を備えた観察用の表示装置、若しくは望遠鏡（フィールドスコープ，スポッティングスコープ，双眼鏡等を含む）等の観察用の光学機器等のほか測量機器等に対しても同様に適用することができる。さらに、ライフル銃や拳銃等の実銃、若しくは遊戯用の銃器等、各種の機器に装着して使用することができる。
【０１９０】
また、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【符号の説明】
【０１９１】
１，１Ａ，１Ｂ，１Ｃ……光学照準器，
１０，１０Ａ，１０Ｂ……筐体部，１０ａ……上面開口，１０ｂ……前面開口，１０ｃ……背面開口，１０ｄ……電池収納室，１０ｅ……電池蓋，１１……スライドカバー部材，
１２……第１の光学素子，１３，１３Ａ，１３Ｂ，１３Ｃ，１３Ｄ……第２の光学素子，１３Ａａ……入射面，１３Ａｂ……反射面，
１４……コリメーターレンズ，
１５……照準光源，１６……照準光源調整機構，１６ａ……本体，
１７……電源電池，１８……接続嵌合部，１９……締結リング，２０……押圧バネ部材，
２１……カバーガラス，２２……第１保持枠，２３……第２保持枠，２３ａ……貫通穴，
２４……電源オンオフ兼照度調整ダイヤル，２５……光源保持枠，２５ａ……回転支軸，
３１……光源調整用ダイヤル，３２……回転軸，３３……ハイポイドピニオンギヤ，３４……ハイポイドギヤ，３５……ギヤ軸，３６……カム，３７……付勢部材，３８……クリック機構，３８ａ……クリックばね，３８ｂ……クリックボール，
４０……光路開口，４１……上側カバー部材，４１ａ……天面部，４１ｂ……右側壁，４１ｃ……左側壁，４１ｄ……前面壁，４１ｄａ……切欠，４１ｅ……背面壁，４１ｆ……突状係止部，４１ｘ，４２ｘ……         各開口，
４２……本体筐体部，４２ａ……凹状収納部位，４２ｂ……凹部，４２ｃ……突状係止部，４２ｄ……固定部位，４２ｅ……前面切欠，４２ｆ……溝部，
４３……リンク機構，４４……操作レバー，４５……クリック機構，４５ａ……ボール，４５ｂ……圧縮バネ，４５ｃ……バネ支持板，４６……付勢部材，４８……第１リンク，４９……第２リンク，
５１ｘ……軸方向調整ダイヤル，
５２……光学素子起倒機構，５２ａ……第１リンク，５２ｂ……第２リンク，５２ｃ……第３リンク，５３……ホログラムレンズ，
１００……撮像装置，１０１……ボディ，１０２……レンズ鏡筒，１０２ａ……撮像光学系，１０２ｂ……筒部材，１０３……マウント部，１０４……アクセサリシュー，１０５……表示装置，１０６……撮像モードダイヤル，１０７……シャッターリリースボタン，１０８……電源オンオフボタン
【図１】
0006395637.tif 000002
【図２】
0006395637.tif 000003
【図３】
0006395637.tif 000004
【図４】
0006395637.tif 000005
【図５】
0006395637.tif 000006
【図６】
0006395637.tif 000007
【図７】
0006395637.tif 000008
【図８】
0006395637.tif 000009
【図９】
0006395637.tif 000010
【図１０】
0006395637.tif 000011
【図１１】
0006395637.tif 000012
【図１２】
0006395637.tif 000013
【図１３】
0006395637.tif 000014
【図１４】
0006395637.tif 000015
【図１５】
0006395637.tif 000016
【図１６】
0006395637.tif 000017